(57)【特許請求の範囲】
【請求項１】
ジャケットと、このジャケットの内周面にライニングされたライニング層とからなるホース本体と、このホース本体の端部に設けられた接続金具または送水ノズルとからなる消防用ホースにおいて、
複数のホース本体を有し、各ホース本体は、先端部に送水ノズルまたは先端側接続金具を設け、基端部に基端側接続金具を設けてなり、前記先端側接続金具と基端側接続金具とは接続が可能であり、前記先端側接続金具同士または基端側接続金具同士は接続が不可能であり、先端側接続金具を基端側接続金具に接続することにより延長され、前記ホース本体のジャケットの外面に消火水の流れる向きと逆向きの避難方向の向きを指示する矢印指標を設けたことを特徴とする消防用ホース。
【請求項２】
前記矢印指標は、ホース本体に該ホース本体の長手方向に所望間隔を存して複数設けられていることを特徴とする請求項１に記載の消防用ホース。
【請求項３】
前記矢印指標は、反射材であることを特徴とする請求項１または請求項２に記載の消防用ホース。
【請求項４】
前記矢印指標は、夜光塗料が塗布されていることを特徴とする請求項１または請求項２に記載の消防用ホース。
【発明の詳細な説明】
【０００１】
【発明の属する技術分野】
この発明は、消防車に搭載された送水ポンプに接続される消防ホースや消火栓に接続される消防ホース等の消防用ホースに関する。
【０００２】
【従来の技術】
消防用ホースは、ジャケットと、このジャケットの内周面にライニングされたライニング層とからなるホース本体が構成されている。通常は、ホース本体の一端部に雌型の接続金具が装着され、他端部には雄型の接続金具が装着され、雌型と雄型の接続金具を接続することにより複数本の消防用ホースを延長できるようになっている。また、一端部に送水ノズルを有したホース本体においては、その他端部に雌型の接続金具が装着され、前記延長した消防用ホースの先端部に接続できるようになっている。
【０００３】
消防用ホースは、蛇行状に折り畳んだ状態あるいはドラムに巻回された状態で消防車に搭載されており、火災時の消火活動の際には消防用ホースを消防車から降ろして引き延ばし、あるいはドラムから繰り出して接続金具相互を接続して延長した後、送水ポンプから消防用ホースに送水することにより、消火活動を行なっている。
【０００４】
【発明が解決しようとする課題】
ところで、地上における建造物の火災の場合には、火災場所が目視できるため、避難する場合には火災場所から離れる方向に避難すればよいが、ビル火災のように壁によって区画されていると火災場所が目視できないため、どの方向に避難してよいか判断できない場合がある。
【０００５】
この発明は、前記事情に着目してなされたもので、その目的とするところは、ビル火災のように、火災場所が目視できない場合でも、消防用ホースに付された矢印指標を見ることにより、避難方向が一目瞭然で、迷うことなく、迅速に避難できる消防用ホースを提供することにある。
【０００６】
【課題を解決するための手段】
この発明は、前記目的を達成するために、請求項１は、ジャケットと、このジャケットの内周面にライニングされたライニング層とからなるホース本体と、このホース本体の端部に設けられた接続金具または送水ノズルとからなる消防用ホースにおいて、複数のホース本体を有し、各ホース本体は、先端部に送水ノズルまたは先端側接続金具を設け、基端部に基端側接続金具を設けてなり、前記先端側接続金具と基端側接続金具とは接続が可能であり、前記先端側接続金具同士または基端側接続金具同士は接続が不可能であり、先端側接続金具を基端側接続金具に接続することにより延長され、前記ホース本体のジャケットの外面に消火水の流れる向きと逆向きの避難方向の向きを指示する矢印指標を設けたことを特徴とする。
【０００７】
請求項２は、請求項１に記載の消防用ホースにおいて、矢印指標は、ホース本体に該ホース本体の長手方向に所望間隔を存して複数設けられていることを特徴とする。
【０００８】
請求項３は、請求項１または２の矢印指標は、反射材であることを特徴とする。
【０００９】
請求項４は、請求項１または２の矢印指標は、夜光塗料が塗布されていることを特徴とする。
【００１０】
前記構成によれば、ホース本体の外面に設けられた矢印指標が消火水の流通方向と逆方向を指示しているため、矢印指標の指示方向に避難することにより、火災場所から離れる方向に避難できる。また、矢印指標が反射材で形成されていたり、夜光塗料が塗布されていると、夜間等においても、消防用ホースの存在及び避難方向が解かるため、迅速な避難ができる。
【００１１】
【発明の実施の形態】
以下、この発明の実施の形態を図面に基づいて説明する。
【００１２】
図１は消防用ホースの側面図、図２（ａ）は図１のＡ部を拡大した正面図、（ｂ）はＢ−Ｂ線に沿う断面図、図３は消防用ホースの使用状態図、図４は矢印指標の異なる例を示す正面図である。
【００１３】
図１に示すように、消防用ホースのホース本体１は、ジャケット２とこのジャケット２の内周面にライニングされたゴムまたは合成樹脂からなるライニング層３とから構成されている。このホース本体１の一端部には雌型の接続金具４が装着され、他端部には雄型の接続金具５が装着されている。
【００１４】
このホース本体１は延長用であって、雌型の接続金具４を他の消防用ホースの雄型の接続金具５と接続することにより延長することができ、また、図３に示すように、先端部に送水ノズル６を有する消防用ホースの基端部の雌型の接続金具４を前記雄型の接続金具５に接続できるようになっている。従って、複数本の消防用ホースを接続した最も基端側の雌型の接続金具４を消防車に搭載されたポンプ（図示しない）に接続して消火水を送水することにより、送水ノズル６から消火水が噴出し、消火活動を行なうことができる。
【００１５】
前述のように構成されたホース本体１のジャケット２の外面には、図２に示すように、消火水の流通方向と逆方向を指示する矢印指標７が設けられている。この矢印指標７はホース本体１の長手方向に所望間隔を存して複数設けられており、この矢印指標７はホース本体１の周方向にも所望間隔を存して配置され、いずれの方向からも矢印指標７を目視できるようになっている。
【００１６】
この矢印指標７は火災時に被災者が避難する方向を示すもので、例えば、ビル火災のように壁によって区画されていると火災場所を被災者（または消防隊員）が確認できない場合があるが、消火活動中のホース本体１に付された矢印指標７を見て、その矢印方向に避難することにより、火災場所から離れる方向に避難することができ、難を逃れることができる。
【００１７】
前記矢印指標７は、耐摩耗性、耐外傷性を有する材料が望ましい。また、図４（ａ）〜（ｃ）に示すように、太い矢印、複数の矢印を組み合せたもの等、そのデザイン及び色は問わないとともに、矢印の近傍に避難方向の文字を表示してもよい。さらに、矢印指標７を反射材で形成してもよく、夜光塗料を塗布してもよい。そして、この矢印指標は７はジャケット２に接着剤等によって固着してもよく、ジャケット２に印刷してもよい。
【００１８】
反射材としては、例えばＭＲ反射クロス・フィルム（ユニチカスパークライト株式会社製）の特にホットメルト型接着剤塗布タイプ３５１０シリーズはジャケット２との接着性が良好である。
【００１９】
なお、前記実施形態においては、消防車に搭載される消防用ホースについて説明したが、消火栓用ホース、保形ホース等にも適用できる。
【００２０】
【発明の効果】
以上説明したように、この発明によれば、消防用ホースのホース本体の外面に設けられた矢印指標が避難方向を指示しているため、被災者（または消防隊員）が矢印指標の指示方向を見てその方向に避難することにより、火災場所から離れる方向に避難できる。また、矢印指標が反射材で形成されていたり、夜光塗料が塗布されていると、夜間等においても、消防用ホースの存在及び避難方向が解かるため、迅速な避難ができ、何を逃れることができるという効果がある。
【図面の簡単な説明】
【図１】この発明の第１の実施形態を示す消防用ホースの側面図。
【図２】同実施形態を示し、（ａ）は図１のＡ部を拡大した正面図、（ｂ）はＢ−Ｂ線に沿う断面図。
【図３】同実施形態の消防用ホースの使用状態図。
【図４】（ａ）〜（ｃ）は同実施形態の矢印指標の異なる例を示す正面図。
【符号の説明】
１…ホース本体
２…ジャケット
３…ライニング層
４，５…接続金具
６…送水ノズル
７…矢印指標
【図１】
0004979845.tif 000002
【図２】
0004979845.tif 000003
【図３】
0004979845.tif 000004
【図４】
0004979845.tif 000005